(57)【特許請求の範囲】
【請求項１】
枢支ピンを介してＸ字状に連結されたプライヤ形の除草用具であって、
開方向へバネ付勢されている一対の握り部と、
該握り部の開閉操作に応じて枢支ピンを支点に開閉し、閉状態で先端部を除く部分にクサビ状の間隙が形成される一対のクチバシ状の雑草くわえ部と、
該雑草くわえ部の閉状態で雑草を保持可能な保持空間を形成する一対の雑草保持部とを備え、
前記雑草くわえ部と前記雑草保持部とは連続して設けられ、該雑草くわえ部で引抜かれた雑草が該雑草くわえ部のクサビ状の空隙から移送されて該雑草保持部の保持空間に保持されることを特徴とする除草用具。
【請求項２】
請求項１に記載の除草用具であって、雑草くわえ部が雑草保持部に対し側面視で１００〜１６０度の角度で屈曲していることを特徴とする除草用具。
【請求項３】
請求項１〜２の何れかに記載の除草用具であって、一対の雑草くわえ部の相互に対向する内面には、滑止めパターンが形成されていることを特徴とする除草用具。
【発明の詳細な説明】
【０００１】
【発明の属する技術分野】
本発明は、多数の雑草を根元から引抜く除草作業に好適な携帯用の除草用具に関する。
【０００２】
【従来の技術】
携帯用の除草用具としては、図７に示すような先曲りピンセットＡが従来一般に知られている。この先曲りピンセットＡは、盆栽や鉢植に生えた雑草を１本づつ引抜く作業に好適な除草用具であり、左右一対の胴部Ｂの先端部には、雑草の根元を挟む左右一対の摘み部Ｃが斜めに屈曲して形成され、また、胴部Ｂの基端部にはコテＤが突設されている。
【０００３】
【発明が解決しようとする課題】
ところで、前述した先曲りピンセットＡは、弾力のある胴部Ｂを指先で閉じることにより、先端の摘み部Ｃが閉じる二股状の構造であるため、摘み部Ｃで雑草の根元を強く挟むには、指先に大きな力を込めて胴部Ｂを閉じる必要がある。
従って、先曲りピンセットＡを使用して多数の雑草を引抜く場合には、指先に多大な負担が掛かり、疲労が激しいという問題がある。
【０００４】
加えて、先曲りピンセットＡを使用した除草作業においては、雑草を１本引抜く度にピンセットＡを、雑草を保持したままで、所定の場所に移動し、引抜いた雑草を廃棄する必要がある。
このように、ピンセットＡのような従来の除草用具では、除草作業を連続的に行うことができず、路地や庭などの広範囲に亘る除草作業には多大な手間が掛かるという問題もある。
【０００５】
そこで、本発明は、広範囲に亘る除草作業であっても簡単に、かつ軽労力で行うことができる携帯用の除草用具を提供することを課題とする。
【０００６】
【課題を解決するための手段】
前記の課題を解決する手段として、本発明に係る除草用具は、枢支ピンを介してＸ字状に連結されたプライヤ形の除草用具であって、一対の握り部の開閉操作に応じて枢支ピンを支点に開閉する一対のクチバシ状の雑草くわえ部と、この雑草くわえ部の閉状態で雑草を保持可能な保持空間を形成する一対の雑草保持部とが連続して設けられていることを特徴とする。
【０００７】
本発明の除草用具においては、一対の握り部を手で握って閉じることにより、一対のクチバシ状の雑草くわえ部が雑草の根元を強固に挟持する。この状態で雑草くわえ部を引上げれば、雑草が根元から引抜かれる。
引抜かれた雑草は、次のようにして、雑草くわえ部から保持空間内に移送される。
すなわち、既に引き抜いた雑草を雑草くわえ部に保持したままで、次の雑草を引抜くために一対の握り部を緩めて一対の雑草くわえ部の間に隙間を設け、この隙間に新たな雑草の根元を挟持する。この動作で、既に引抜かれた雑草は、新たな雑草により押されて、雑草くわえ部の間を少しずつ移動し、遂には一対の雑草保持部間の保持空間内まで移送されて該空間内に保持される。
また、場合によっては、引抜かれた雑草は、一対の握り部を緩めて一対の雑草くわえ部の間に隙間を設け、この状態で雑草くわえ部を前進させるだけで（すなわち、上記のように新たな雑草を挟持することなしに）、一対の雑草保持部間の保持空間内に移送されて保持されることもある。
【０００８】
本発明の除草用具において、雑草くわえ部が雑草保持部に対して１００〜１６０度の角度で屈曲していると、石の間などの狭い場所に生えている雑草であっても、一対の握り部を横に寝かせた楽な態勢で一対の雑草くわえ部により雑草の根元を確実に挟持することができるばかりか、雑草の根元の土を掘り返す作業もこの雑草くわえ部で容易に行うことができるので好ましい。
【０００９】
また、一対の雑草くわえ部が、その閉状態で先端部を除く部分にクサビ状の隙間を形成する場合には、一対の雑草くわえ部が挟持して引抜いた雑草を一対の雑草保持部間の保持空間へ円滑に移動させて保持することができるので好ましい。
【００１０】
さらに、一対の雑草くわえ部の相互に対向する内面に滑止めパターンが形成されていると、雑草の根元を確実に挟持して引抜くことができるので好ましい。
加えて、一対の雑草保持部の相互に対向する内面にも、滑止めパターンが形成されていると、雑草を確実に保持することができるので好ましい。
【００１１】
また、一対の握り部が開方向へバネ付勢されていると、握り部の開閉操作の労力が半減するので好ましい。
【００１２】
【発明の実施の形態】
以下、図面を参照して本発明に係る除草用具の実施の形態を説明する。
参照する図面において、図１は一実施形態に係る除草用具の全体構造を示す斜視図、図２は一実施形態に係る除草用具の構造を示す平面図、図３は一実施形態に係る除草用具の構造を示す側面図である。
【００１３】
一実施形態の除草用具は、図１に示すように、枢支ピン１を介してＸ字状に連結されたプライヤ形の除草用具である。
この除草用具には、一対の握り部２の開閉操作に応じて枢支ピン１を支点に開閉する一対のクチバシ状の雑草くわえ部３と、この雑草くわえ部３の閉状態で雑草を保持可能な保持空間４を形成する一対の雑草保持部５とが連続して設けられている。
【００１４】
前記除草用具の本体は、耐久性および耐摩耗性のある材料、例えば、鉄系、その他各種の合金、合成樹脂、セラミックなどにより構成されている。
一対の握り部２は、合成ゴム、合成樹脂などの弾力性のある材料により被覆されている。
【００１５】
図１および図２に示すように、前記一対の握り部２は、手で握り易いように、相互に内側へ湾曲した形状を呈しており、その長さは７０〜１２０ｍｍ、被覆を含めた太さは、側面視における上下方向の厚さで７〜１５ｍｍ程度に設定されている。
また、開閉操作の労力を半減させるため、一対の握り部２は、枢支ピン１側の基端部間に介設されたコイルスプリング６によって常時開方向へ付勢されている。この握り部２の最大幅は、開状態で６０〜１００ｍｍ前後、閉状態で３０〜６０ｍｍ前後の手に馴染み易い幅に設定されている。
【００１６】
一方、一対の雑草くわえ部３は、前記握り部２を横に寝かせた楽な態勢で雑草の根元を挟持できるようにするため、図３に示す側面視において、握り部２に連続して直線状に延びる雑草保持部５に対し、１００〜１６０度、例えば１４０度の角度θを形成して屈曲している。
この雑草くわえ部３は、長さが２０〜４０ｍｍ程度、側面視における上下方向の厚みが最小部分（一般に先端部）で２ｍｍ程度であり、その内面は相互に対向する平行面として形成され、その外面は半円状の円弧面に形成されている。
【００１７】
一対の雑草くわえ部３の相互に対向する内面には、雑草の根元を確実に挟持できるようにするために、滑止めパターン７が形成されている。
この滑止めパターン７は、例えば図４（ａ）に示すように、雑草くわえ部３の長手方向に直交する筋目状の山形断面の凹凸パターンとして形成される。
【００１８】
なお、前記滑止めパターン７は、図４（ｂ）に示すように、雑草くわえ部３の長手方向に斜交する筋目状の山形断面の凹凸パターンとして形成してもよい。
また、図４（ｃ）に示すような格子状の凹凸パターンや、図４（ｄ）に示すようなドット状の凹凸パターンとして形成してもよい。
いずれの凹凸パターンにおいても、土の付着による目詰りを防止するためには、粗目の凹凸パターンとするのが好ましい。
【００１９】
前記一対の雑草くわえ部３は、その閉状態で先端部のみが当接し、先端部を除く部分にクサビ状の間隙を形成している。
このクサビ状の間隙は、引抜いた雑草を一対の雑草保持部５間の保持空間４内に円滑に移送させるためのものであり、その最大幅は０．３〜１．５ｍｍ程度に設定される。
【００２０】
また、前記の一対の雑草保持部５は、長さが４０〜１００ｍｍ程度であり、側面視における上下方向の厚みは、枢支ピン１側から雑草くわえ部３側へ向って５〜２ｍｍに漸次減少している。
この一対の雑草保持部５は、前記保持空間４を形成するようにそれぞれ左右対称に湾曲した形状を呈し、形成される保持空間４の最大幅は、小石などが挟らないように、８〜５０ｍｍ程度、図示の例では１３ｍｍ程度に設定されている。
【００２１】
以上のように構成された一実施形態の除草用具は、図５に示すように、雑草の根元を挟んで引抜く除草作業に使用される。
この除草作業に当っては、まず、一対のクチバシ状の雑草くわえ部３を開いて雑草の根元の両側に差込み、一対の握り部２を閉じて一対の雑草くわえ部３間に雑草の根元を挟持する。この状態で雑草くわえ部３を引上げれば、雑草が自ずと引抜かれる。
【００２２】
この除草作業においては、雑草くわえ部３が雑草保持部５に対して、例えば１４０度の角度で屈曲しているため、一対の握り部２を、図５に示すように、横に寝かせた楽な態勢のままで、雑草くわえ部３により雑草の根元を挟持することができる。
この一対の雑草くわえ部３の相互に対向する内面には、図４（ａ）に示すような滑止めパターン７が形成されているため、雑草の根元を確実に挟持して引抜くことができる。
【００２３】
また、除草作業の労力についてみると、一対の握り部２を手で握って閉じるため、指先に全く負担が掛からず、軽労力で除草作業を進めることができる。
しかも、一対の握り部２は、コイルスプリング６によって常時開方向へ付勢されているため、開閉操作の労力は閉方向のみであり、その労力は半減される。
【００２４】
本発明の除草用具においては、前述のように雑草を引抜いた後、同様の操作で次々と連続して雑草を引抜くことにより、既に引抜かれた複数の雑草が、新たに引抜かれた雑草に次々に押されて、一対の雑草保持部５間の保持空間４内に順次移送されて保持される。
従って、多数の雑草の除草作業を連続的に行うことができ、広範囲に亘る除草作業も簡単に、かつ、軽労力で行うことができる。
【００２５】
なお、本発明の除草用具は、以上の実施形態に限定されることなく、例えば、図６に示すように、一対の雑草保持部５に対して一対の雑草くわえ部３が、屈曲することなく、ストレートに連続する形態であってもよい。
また、一対の雑草くわえ部３の対向する内面は、滑止めパターンの無い平面状に形成されていてもよい。
さらに、一対の握り部２を開方向に付勢するバネは、相互に交差して係合する一対の板バネ８で構成してもよい。
【００２６】
【発明の効果】
以上説明したように、本発明に係る除草用具によれば、一対の握り部を手で握って閉じることにより、一対のクチバシ状の雑草くわえ部が雑草の根元を強固に挟持するため、指先に全く負担が掛からず、軽労力で雑草を根元から引抜くことができる。
また、雑草を引抜いた後、同様の操作で次々と連続して雑草を引抜くことにより、既に引抜かれた複数の雑草が、新たに引抜かれた雑草に次々に押されて、一対の雑草保持部間の保持空間内に順次移送されて保持されるため、多数の雑草の除草作業を連続的に行うことができる。
すなわち、本発明の除草用具によれば、広範囲に亘る除草作業も簡単に、かつ軽労力で行うことができる。
【００２７】
また、本発明の除草用具において、雑草くわえ部が雑草保持部に対して１００〜１６０度の角度で屈曲している場合には、一対の握り部を横に寝かせた楽な態勢で一対の雑草くわえ部により雑草の根元を確実に挟持することができる。
【００２８】
さらに、一対の雑草くわえ部が、その閉状態で先端部を除く部分にクサビ状の間隙を形成する場合には、一対の雑草くわえ部が挟持して引抜いた雑草を一対の雑草保持部間の保持空間内へ円滑に移動させて保持することができる。
【００２９】
しかも、一対の雑草くわえ部の相互に対向する内面に滑止めパターンが形成されている場合には、雑草の根元を確実に挟持して引抜くことができる。
また、一対の握り部が開方向へバネ付勢されている場合には、握り部の開閉操作の労力を半減することができる。
【図面の簡単な説明】
【図１】本発明の一実施形態に係る除草用具の全体構造を示す斜視図である。
【図２】一実施形態に係る除草用具の構造を示す平面図である。
【図３】一実施形態に係る除草用具の構造を示す側面図である。
【図４】一実施形態に係る除草用具の雑草くわえ部に形成された滑止めパターンのそれぞれ異るパターンを示す部分正面図である。
【図５】一実施形態に係る除草用具の使用例を示す斜視図である。
【図６】本発明の他の実施形態に係る除草用具の全体構造を示す斜視図である。
【図７】従来例としての先曲りピンセットの全体構造を示す斜視図である。
【符号の説明】
１  枢支ピン
２  握り部
３  雑草くわえ部
４  保持空間
５  雑草保持部
６  コイルスプリング
７  滑止めパターン
８  板バネ
【図１】
0004505078.tif 000002
【図２】
0004505078.tif 000003
【図３】
0004505078.tif 000004
【図４】
0004505078.tif 000005
【図５】
0004505078.tif 000006
【図６】
0004505078.tif 000007
【図７】
0004505078.tif 000008